(57)【要約】【課題】もともと映像の表示領域ではない黒帯部分に番組に関する情報（あらすじなど）を表示可能とし、番組の視聴を妨げることなく、各種の番組情報を表示できるようにした番組情報表示装置を提供する。【解決手段】番組情報表示装置１０は、表示画面のサイズと水平及び垂直サイズが異なる放送信号を表示可能な表示画面に、番組に関する情報を表示可能とする。番組情報表示装置１０は、放送信号から映像信号と黒帯部分の境界線を検知するＣＰＵ１８、境界線が検知された場合に表示画面の水平及び垂直方向に黒帯部分を表示させる表示部２２、黒帯部分に表示させる番組情報（番組のあらすじなど）を取得するデジタルチューナ部１２、取得した番組情報を保持するＲＡＭ１７、保持した番組情報を黒帯部分に表示させるための処理を行う表示処理部１９を備える。【選択図】図１
2007135158.tif 000002
【特許請求の範囲】
【請求項１】
表示画面のサイズと水平及び垂直サイズが異なる放送信号を表示可能な前記表示画面に、番組に関する情報を表示する番組情報表示装置において、放送信号から映像信号と黒帯部分の境界線を検知する手段と、該境界線が検知された場合に前記表示画面の水平及び垂直方向に前記黒帯部分を表示させる表示手段と、該黒帯部分に表示させる情報を取得する情報取得手段と、該取得した情報を保持する保持手段と、該保持した情報を前記黒帯部分に表示させるための処理を行う表示処理手段と、を備えていることを特徴とする番組情報表示装置。
【請求項２】
請求項１に記載の番組情報表示装置において、前記情報取得手段は、デジタル放送のデータ放送から前記黒帯部分に表示させる情報を取得することを特徴とする番組情報表示装置。
【請求項３】
請求項１に記載の番組情報表示装置において、前記情報取得手段は、インターネットから前記黒帯部分に表示させる情報を取得することを特徴とする番組情報表示装置。
【請求項４】
請求項１に記載の番組情報表示装置において、前記情報取得手段は、デジタル放送のクローズドキャプション情報から前記黒帯部分に表示させる情報を取得することを特徴とする番組情報表示装置。
【請求項５】
請求項１に記載の番組情報表示装置において、前記情報取得手段は、デジタル放送のＳＩ（Ｓｅｒｖｉｃｅ  Ｉｎｆｏｒｍａｔｉｏｎ）から前記黒帯部分に表示させる情報を取得することを特徴とする番組情報表示装置。
【請求項６】
請求項１乃至５のいずれか１に記載の番組情報表示装置において、前記表示手段は、前記表示画面に対して左右に黒帯部分を有する放送信号の場合、前記左右の黒帯部分を前記表示画面の右側あるいは左側にまとめて表示させることを特徴とする番組情報表示装置。
【請求項７】
請求項１乃至５のいずれか１に記載の番組情報表示装置において、前記表示手段は、前記表示画面に対して上下に黒帯部分を有する放送信号の場合、前記上下の黒帯部分を前記表示画面の上側あるいは下側にまとめて表示させることを特徴とする番組情報表示装置。
【請求項８】
請求項１乃至７のいずれか１に記載の番組情報表示装置において、前記表示処理手段は、ＢＭＬ（Ｂｒｏａｄｃａｓｔ  Ｍａｒｋｕｐ  Ｌａｎｇｕａｇｅ）ブラウザ機能を備え、前記保持手段により保持した情報を前記黒帯部分に表示させる処理を行うことを特徴とする番組情報表示装置。
【請求項９】
請求項１乃至７のいずれか１に記載の番組情報表示装置において、前記表示処理手段は、ＰｏｕｔＰ（Ｐｉｃｔｕｒｅ  ｏｕｔ  Ｐｉｃｔｕｒｅ）機能を備え、前記保持手段により保持した情報を前記黒帯部分に表示させる処理を行うことを特徴とする番組情報表示装置。
【請求項１０】
請求項１乃至７のいずれか１に記載の番組情報表示装置において、前記表示処理手段は、ＯＳＤ（Ｏｎ  Ｓｃｒｅｅｎ  Ｄｉｓｐｌａｙ）機能を備え、前記保持手段により保持した情報を前記黒帯部分に表示させる処理を行うことを特徴とする番組情報表示装置。
【請求項１１】
請求項１乃至１０のいずれか１に記載の番組情報表示装置において、前記表示処理手段は、視聴中の番組が該番組の放送時間の前半部分である場合、該番組のそれまでのあらすじを文字情報及び／又は画像情報として前記黒帯部分に表示させる処理を行うことを特徴とする番組情報表示装置。
【請求項１２】
請求項１乃至１０のいずれか１に記載の番組情報表示装置において、前記表示処理手段は、視聴中の番組が該番組の終了時間に近づいた場合、該番組の次の番組に関する情報を文字情報及び／又は画像情報として前記黒帯部分に表示させる処理を行うことを特徴とする番組情報表示装置。
【請求項１３】
請求項１乃至１０のいずれか１に記載の番組情報表示装置において、前記表示処理手段は、視聴中の放送局から今後放送される予定の番組に関する情報を文字情報及び／又は画像情報として前記黒帯部分に表示させる処理を行うことを特徴とする番組情報表示装置。
【請求項１４】
請求項１乃至１０のいずれか１に記載の番組情報表示装置において、前記表示処理手段は、視聴中の番組に関する情報を文字情報及び／又は画像情報として前記黒帯部分に表示させる処理を行うことを特徴とする番組情報表示装置。
【請求項１５】
請求項１１乃至１４のいずれか１に記載の番組情報表示装置において、前記文字情報及び／又は前記画像情報として前記黒帯部分に表示されている情報を、ユーザにより変更可能としたことを特徴とする番組情報表示装置。
【請求項１６】
請求項１２又は１３に記載の番組情報表示装置において、前記文字情報及び／又は前記画像情報として前記黒帯部分に表示されている情報からユーザ所望の情報を選択可能とし、該選択された情報に対応する番組の録画予約あるいは視聴予約を可能としたことを特徴とする番組情報表示装置。
【請求項１７】
請求項１２又は１３に記載の番組情報表示装置において、前記文字情報及び／又は前記画像情報として前記黒帯部分に表示されている情報からユーザ所望の情報を選択可能とし、該選択された情報を含む時間帯の電子番組表を表示させることを特徴とする番組情報表示装置。
【請求項１８】
請求項１乃至１７のいずれか１に記載の番組情報表示装置において、番組に関する情報を前記黒帯部分に表示させるかどうかを、ユーザによって選択可能としたことを特徴とする番組情報表示装置。
【請求項１９】
請求項１乃至１７のいずれか１に記載の番組情報表示装置において、番組に関する情報を前記黒帯部分に表示させるかどうかを、該番組に関する情報の有無に応じて判断することを特徴とする番組情報表示装置。
【請求項２０】
請求項１乃至１７のいずれか１に記載の番組情報表示装置において、前記黒帯部分を映像信号と共に表示させるかどうかの判断を、番組に関する情報を前記黒帯部分に表示させるかどうかの判断に連動させることを特徴とする番組情報表示装置。
【請求項２１】
請求項１乃至２０のいずれか１に記載の番組情報表示装置において、前記表示画面の上下左右に表示される黒帯部分に対して、どの黒帯部分にどの情報を表示させるかを、ユーザにより設定可能としたことを特徴とする番組情報表示装置。
【請求項２２】
表示画面のサイズと水平及び垂直サイズが異なる放送信号を表示可能な前記表示画面に、番組に関する情報を表示する番組情報表示方法において、放送信号から映像信号と黒帯部分の境界線を検知するステップと、該境界線が検知された場合に前記表示画面の水平及び垂直方向に前記黒帯部分を表示させるステップと、該黒帯部分に表示させる情報を取得するステップと、該取得した情報を保持するステップと、該保持した情報を前記黒帯部分に表示させるための処理を行うステップと、を有することを特徴とする番組情報表示方法。
【請求項２３】
請求項２２に記載の番組情報表示方法において、放送信号から映像信号と黒帯部分の境界線を検知するステップは、放送信号に含まれる黒部分が連続しているかどうかを判定し、黒部分が連続していると判定した場合に、該黒部分を黒帯部分と判定することにより、前記境界線を検知することを特徴とする番組情報表示方法。
【請求項２４】
請求項２２に記載の番組情報表示方法において、放送信号から映像信号と黒帯部分の境界線を検知するステップは、デジタル放送信号に含まれるディスプレイエクステンション情報に基づいて前記映像信号のサイズを特定し、該特定した映像信号以外の部分を黒帯部分と判定することにより、前記境界線を検知することを特徴とする番組情報表示方法。
【発明の詳細な説明】
【技術分野】
【０００１】
本発明は、番組情報表示装置及び方法、より詳細には、表示画面の黒帯部分に番組に関する情報を表示させるための番組情報表示装置及び該装置を用いた番組情報表示方法に関する。
【背景技術】
【０００２】
テレビジョン放送受信装置などの表示画面に番組のあらすじなどの番組情報を表示する技術に関して、例えば、特許文献１には、視聴者に適応した広告の配信や、本放送を途中から視聴する場合のあらすじの把握を可能とするためのデータ放送表示装置が記載されている。これは、データ放送の配信データを、データの実体とキー情報からなるデータ単位の集まりで構成する。まず、視聴者が入力手段から取得したいデータの検索条件を入力する。受信手段は、本放送とデータ放送とを受信し、これらを分離手段が分離する。表示処理制御手段は、データ放送のキー情報と検索条件をチェックし、適合するデータ単位を本放送と同時又は単独で表示手段に表示する。
【０００３】
本放送の途中からの視聴に対しては、本放送のブロック単位毎の要約映像をデータ放送で送信し、これを受信して蓄積手段に蓄積しておき、表示処理制御手段により、視聴者が視聴開始する時刻までの要約映像を再生した後に本放送に切り替えて表示手段に表示するようにしている。
【特許文献１】特開２００１−１５６６６４号公報
【発明の開示】
【発明が解決しようとする課題】
【０００４】
しかしながら、上述の特許文献１に記載の発明では、データ放送を表示させる際に全画面をデータ放送画面とするため、放送中の番組の視聴を妨げてしまうという問題や、データ放送画面内に番組画面を表示するために、番組が実際の表示領域よりも小さいサイズで表示されることになってしまうという問題を有している。
【０００５】
本発明は、上述のごとき実情に鑑みてなされたものであり、もともと映像の表示領域ではない黒帯部分に番組に関する情報（あらすじなど）を表示可能とし、番組の視聴を妨げることなく、各種の番組情報を表示できるようにした番組情報表示装置及び該装置を用いた番組情報表示方法を提供すること、を目的とする。
【課題を解決するための手段】
【０００６】
上記課題を解決するために、本発明の第１の技術手段は、表示画面のサイズと水平及び垂直サイズが異なる放送信号を表示可能な前記表示画面に、番組に関する情報を表示する番組情報表示装置において、放送信号から映像信号と黒帯部分の境界線を検知する手段と、該境界線が検知された場合に前記表示画面の水平及び垂直方向に前記黒帯部分を表示させる表示手段と、該黒帯部分に表示させる情報を取得する情報取得手段と、該取得した情報を保持する保持手段と、該保持した情報を前記黒帯部分に表示させるための処理を行う表示処理手段と、を備えていることを特徴としたものである。
【０００７】
第２の技術手段は、第１の技術手段において、前記情報取得手段は、デジタル放送のデータ放送から前記黒帯部分に表示させる情報を取得することを特徴としたものである。
【０００８】
第３の技術手段は、第１の技術手段において、前記情報取得手段は、インターネットから前記黒帯部分に表示させる情報を取得することを特徴としたものである。
【０００９】
第４の技術手段は、第１の技術手段において、前記情報取得手段は、デジタル放送のクローズドキャプション情報から前記黒帯部分に表示させる情報を取得することを特徴としたものである。
【００１０】
第５の技術手段は、第１の技術手段において、前記情報取得手段は、デジタル放送のＳＩ（Ｓｅｒｖｉｃｅ  Ｉｎｆｏｒｍａｔｉｏｎ）から前記黒帯部分に表示させる情報を取得することを特徴としたものである。
【００１１】
第６の技術手段は、第１乃至第５のいずれか１の技術手段において、前記表示手段は、前記表示画面に対して左右に黒帯部分を有する放送信号の場合、前記左右の黒帯部分を前記表示画面の右側あるいは左側にまとめて表示させることを特徴としたものである。
【００１２】
第７の技術手段は、第１乃至第５のいずれか１の技術手段において、前記表示手段は、前記表示画面に対して上下に黒帯部分を有する放送信号の場合、前記上下の黒帯部分を前記表示画面の上側あるいは下側にまとめて表示させることを特徴としたものである。
【００１３】
第８の技術手段は、第１乃至第７のいずれか１の技術手段において、前記表示処理手段は、ＢＭＬ（Ｂｒｏａｄｃａｓｔ  Ｍａｒｋｕｐ  Ｌａｎｇｕａｇｅ）ブラウザ機能を備え、前記保持手段により保持した情報を前記黒帯部分に表示させる処理を行うことを特徴としたものである。
【００１４】
第９の技術手段は、第１乃至第７のいずれか１の技術手段において、前記表示処理手段は、ＰｏｕｔＰ（Ｐｉｃｔｕｒｅ  ｏｕｔ  Ｐｉｃｔｕｒｅ）機能を備え、前記保持手段により保持した情報を前記黒帯部分に表示させる処理を行うことを特徴としたものである。
【００１５】
第１０の技術手段は、第１乃至第７のいずれか１の技術手段において、前記表示処理手段は、ＯＳＤ（Ｏｎ  Ｓｃｒｅｅｎ  Ｄｉｓｐｌａｙ）機能を備え、前記保持手段により保持した情報を前記黒帯部分に表示させる処理を行うことを特徴としたものである。
【００１６】
第１１の技術手段は、第１乃至第１０のいずれか１の技術手段において、前記表示処理手段は、視聴中の番組が該番組の放送時間の前半部分である場合、該番組のそれまでのあらすじを文字情報及び／又は画像情報として前記黒帯部分に表示させる処理を行うことを特徴としたものである。
【００１７】
第１２の技術手段は、第１乃至第１０のいずれか１の技術手段において、前記表示処理手段は、視聴中の番組が該番組の終了時間に近づいた場合、該番組の次の番組に関する情報を文字情報及び／又は画像情報として前記黒帯部分に表示させる処理を行うことを特徴としたものである。
【００１８】
第１３の技術手段は、第１乃至第１０のいずれか１の技術手段において、前記表示処理手段は、視聴中の放送局から今後放送される予定の番組に関する情報を文字情報及び／又は画像情報として前記黒帯部分に表示させる処理を行うことを特徴としたものである。
【００１９】
第１４の技術手段は、第１乃至第１０のいずれか１の技術手段において、前記表示処理手段は、視聴中の番組に関する情報を文字情報及び／又は画像情報として前記黒帯部分に表示させる処理を行うことを特徴としたものである。
【００２０】
第１５の技術手段は、第１１乃至第１４のいずれか１の技術手段において、前記文字情報及び／又は前記画像情報として前記黒帯部分に表示されている情報を、ユーザにより変更可能としたことを特徴としたものである。
【００２１】
第１６の技術手段は、第１２又は第１３の技術手段において、前記文字情報及び／又は前記画像情報として前記黒帯部分に表示されている情報からユーザ所望の情報を選択可能とし、該選択された情報に対応する番組の録画予約あるいは視聴予約を可能としたことを特徴としたものである。
【００２２】
第１７の技術手段は、第１２又は第１３の技術手段において、前記文字情報及び／又は前記画像情報として前記黒帯部分に表示されている情報からユーザ所望の情報を選択可能とし、該選択された情報を含む時間帯の電子番組表を表示させることを特徴としたものである。
【００２３】
第１８の技術手段は、第１乃至第１７のいずれか１の技術手段において、番組に関する情報を前記黒帯部分に表示させるかどうかを、ユーザによって選択可能としたことを特徴としたものである。
【００２４】
第１９の技術手段は、第１乃至第１７のいずれか１の技術手段において、番組に関する情報を前記黒帯部分に表示させるかどうかを、該番組に関する情報の有無に応じて判断することを特徴としたものである。
【００２５】
第２０の技術手段は、第１乃至第１７のいずれか１の技術手段において、前記黒帯部分を映像信号と共に表示させるかどうかの判断を、番組に関する情報を前記黒帯部分に表示させるかどうかの判断に連動させることを特徴としたものである。
【００２６】
第２１の技術手段は、第１乃至第２０のいずれか１の技術手段において、前記表示画面の上下左右に表示される黒帯部分に対して、どの黒帯部分にどの情報を表示させるかを、ユーザにより設定可能としたことを特徴としたものである。
【００２７】
第２２の技術手段は、表示画面のサイズと水平及び垂直サイズが異なる放送信号を表示可能な前記表示画面に、番組に関する情報を表示する番組情報表示方法において、放送信号から映像信号と黒帯部分の境界線を検知するステップと、該境界線が検知された場合に前記表示画面の水平及び垂直方向に前記黒帯部分を表示させるステップと、該黒帯部分に表示させる情報を取得するステップと、該取得した情報を保持するステップと、該保持した情報を前記黒帯部分に表示させるための処理を行うステップと、を有することを特徴としたものである。
【００２８】
第２３の技術手段は、第２２の技術手段において、放送信号から映像信号と黒帯部分の境界線を検知するステップは、放送信号に含まれる黒部分が連続しているかどうかを判定し、黒部分が連続していると判定した場合に、該黒部分を黒帯部分と判定することにより、前記境界線を検知することを特徴としたものである。
【００２９】
第２４の技術手段は、第２２の技術手段において、放送信号から映像信号と黒帯部分の境界線を検知するステップは、デジタル放送信号に含まれるディスプレイエクステンション情報に基づいて前記映像信号のサイズを特定し、該特定した映像信号以外の部分を黒帯部分と判定することにより、前記境界線を検知することを特徴としたものである。
【００３０】
最近アナログ放送のサイマル放送などにより、黒帯部分を含む放送が増えているが、上記各技術手段によれば、黒帯部分に番組に関する情報を表示することにより、実放送の視聴を妨げたり、実放送の表示サイズを損なうことなく、番組情報の表示が行え、さらには、黒帯部分に表示されている番組の時間帯に応じた電子番組表を表示したり、黒帯部分に表示されている番組の録画予約や視聴予約などを、番組を視聴しながら行うことができる。
【発明の効果】
【００３１】
本発明によれば、もともと映像の表示領域ではない黒帯部分に番組に関する情報（あらすじなど）を表示させることができるため、放送番組の表示領域をそのままのサイズで表示させ、現在放送されている番組の視聴を妨げることなく、各種の番組情報を表示することができる。
また、現在視聴している番組の全放送時間と現時刻から黒帯部分に表示する情報を選択して表示することができるため、視聴者にとってより有用な情報を表示することが可能となる。また、これらにより、もともと映像の表示領域ではない黒帯部分を有効に活用することができるようになる。
【発明を実施するための最良の形態】
【００３２】
以下、本発明による番組情報表示装置の実施の形態を添付の図面に基づいて説明する。
図１は、本発明の一実施形態に係る番組情報表示装置の構成例を示すブロック図で、図中、１０は番組情報表示装置で、該番組情報表示装置１０は、受信アンテナ１１，デジタルチューナ部１２，デジタル復調部１３，分離部１４，ビデオデコード／キャプチャ部１５，選局部１６，ＲＡＭ１７，ＣＰＵ１８，表示処理部１９，オーディオデコード部２０，ビデオ出力変換部２１，表示部２２，オーディオ出力変換部２３，スピーカ２４，ビデオマウスマイコン２５，不揮発性メモリ２６，通信制御部２７，リモコン受光部２８，及びビデオマウスコネクタ２９を備えて構成されている。
【００３３】
本発明の番組情報表示装置１０は、テレビジョン放送受信装置以外にも、パーソナルコンピュータ（ＰＣ）や、携帯電話機、ＰＤＡ（Ｐｅｒｓｏｎａｌ  Ｄｉｇｉｔａｌ  Ａｓｓｉｓｔａｎｔ）などのテレビチューナを内蔵あるいは外部接続可能な情報処理装置全般に適用され、表示画面のサイズとアスペクト比が異なる放送信号を表示可能とする。
【００３４】
なお、以下の説明では、本発明の番組情報表示装置１０をテレビジョン放送受信装置（以下、しばしばテレビジョン放送受信装置１０という）に適用した場合を代表例として説明する。また、テレビジョン放送受信装置１０は、デジタル放送信号を受信する構成としているが、アナログ放送信号を受信する構成としてもよい。
【００３５】
図１において、受信アンテナ１１は、デジタル放送信号を受信するためのアンテナである。デジタルチューナ部１２は、受信アンテナ１１で受信したデジタル放送信号をチューニングする。デジタル復調部１３は、デジタルチューナ部１２でチューニングされたデジタル放送データを復調する。分離部（ＤＭＵＸ）１４は、復調されたデジタル放送データからＥＰＧ（Ｅｌｅｃｔｒｏｎｉｃ  Ｐｒｏｇｒａｍ  Ｇｕｉｄｅ）データ、ＳＩ（Ｓｅｒｖｉｃｅ  Ｉｎｆｏｒｍａｔｉｏｎ）データ、ＣＣ（Ｃｌｏｓｅｄ  Ｃａｐｔｉｏｎｉｎｇ）データ、テレテキストデータ、データ放送のデータなどを分離・抽出する。ビデオデコード／キャプチャ部１５は、分離されたデジタル放送データのビデオデータをデコードしたり、ビデオ情報を静止画としてキャプチャする。
【００３６】
選局部１６は、デジタルチューナ部１２におけるデジタル放送の選局処理を行う。ＲＡＭ１７は、任意のアドレスを指定して読み書きすることが可能な半導体メモリで、プログラムを展開し実行したり、抽出したＥＰＧデータや、ＳＩデータ、ＣＣデータ、テレテキストデータ、データ放送のデータなどから取得される番組に関する情報（以下、番組情報という）を保存したり、インターネットから取得される番組情報を保存する。
【００３７】
ここで、上記番組情報とは、現在視聴中の番組あるいは次に放送される番組あるいは今後放送される番組の放送時間、タイトル（番組名）、製作年、監督、出演者等の関連情報や、番組のあらすじ情報などを含み、この番組情報は、例えば、データ放送のデータ、ＣＣデータ、テレテキストデータ、ＳＩデータ、インターネットなどから取得される。
【００３８】
ＣＰＵ（表示制御部）１８は、全体の処理を司り、黒帯部分の表示制御や、番組の録画予約や視聴予約等の処理を行い、さらには、上記取得した番組情報の表示制御や、通信制御部２７の処理などを行う。また、ＣＰＵ１８は、放送信号から映像信号と黒帯部分の境界線を検知し、境界線が検知された場合に黒帯部分が含まれていると判定する。
【００３９】
上記映像信号と黒帯部分の境界線を検知する方法としては大きく２つあり、第１に、放送信号に含まれる黒部分が連続しているかどうかを判定し、黒部分が連続していると判定した場合に、その黒部分を黒帯部分と判定する。これにより、映像信号と黒帯部分の境界線を検知することができる。
【００４０】
第２に、デジタル放送信号に含まれるディスプレイエクステンション情報に基づいて映像信号のサイズを特定し、特定した映像信号以外の部分を黒帯部分と判定する。これにより、第１の方法と同様に、映像信号と黒帯部分の境界線を検知することができる。ＭＰＥＧ形式などのデジタル放送信号には、シーケンスヘッダ中に上記ディスプレイエクステンション情報が含まれており、このディスプレイエクステンション情報において表示サイズ等が定義されている。
【００４１】
表示処理部１９は、ＲＡＭ１７あるいは不揮発性メモリ２６に保存された番組情報を黒帯部分に表示させるための処理を行う。表示処理部１９は、例えば、ＢＭＬ（Ｂｒｏａｄｃａｓｔ  Ｍａｒｋｕｐ  Ｌａｎｇｕａｇｅ）ブラウザ機能、ＯＳＤ（Ｏｎ  Ｓｃｒｅｅｎ  Ｄｉｓｐｌａｙ）機能、ＰｏｕｔＰ（Ｐｉｃｔｕｒｅ  ｏｕｔ  Ｐｉｃｔｕｒｅ）機能などを備え、これらの機能を利用して番組情報を黒帯部分に表示させるための処理を行う。
【００４２】
オーディオデコード部２０は、分離部１４で分離されたオーディオデータをデコードする。ビデオ出力変換部２１は、ビデオ（映像）信号と番組情報を合わせてからビデオ出力信号に変換する。表示部２２は、ビデオ出力変換部２１からのビデオ出力信号を表示出力する液晶ディスプレイなどの表示手段である。オーディオ出力変換部２３は、デコードされたオーディオ信号をオーディオ出力信号に変換する。スピーカ２４は、オーディオ出力変換部２３からのオーディオ出力信号を音声出力する手段である。
【００４３】
ビデオマウスマイコン２５は、ビデオマウスコネクタ２９に接続される図示しないビデオマウスで送信する信号の制御を行う。不揮発性メモリ２６は、プログラムやユーザデータ、ＥＰＧデータなどが格納されている書換え可能なメモリである。通信制御部２７は、電話回線や、ＬＡＮ、インターネットなどのネットワークとの通信制御を行い、ＥＰＧデータなどをネットワークを介して取得する。リモコン受光部２８は、図示しないリモートコントローラからの操作信号を受信してその操作信号をＣＰＵ１８に送る。
【００４４】
ここで、本発明の情報取得手段は、黒帯部分に表示させる番組情報を取得する手段であって、デジタルチューナ部１２あるいは通信制御部２７に相当する。デジタルチューナ部１２で受信した放送信号に含まれるデータ放送の情報、クローズドキャプション情報、テレテキスト情報、ＳＩ情報、ＢＭＬ情報などから取得される番組情報は、分離部１４で分離され、ＲＡＭ１７や不揮発性メモリ２６へ保存される。また、通信制御部２７でインターネットから取得される番組情報は、通信制御部２７からＲＡＭ１７や不揮発性メモリ２６へ保存される。
【００４５】
ＣＰＵ１８は、放送信号に黒帯部分が存在するかどうかを判定し、さらに、黒帯部分に番組情報を表示するかどうかを決定する処理を行う。なお、番組情報を黒帯部分に表示させるかどうかを、ユーザによって選択可能としてもよい。また、ＣＰＵ１８は、番組情報を黒帯部分に表示させるかどうかを、番組情報の有無に応じて判断するようにしてもよい。また、黒帯部分を映像信号と共に表示させるかどうかの判断を、番組情報を黒帯部分に表示させるかどうかの判断に連動させてもよい。これは、例えば、番組情報を黒帯部分に表示させない場合、黒帯部分を表示させず、映像信号のみを画面全体に表示させるように制御し、一方、番組情報を黒帯部分に表示させる場合、黒帯部分を映像信号と共に画面に表示させるように制御する。
【００４６】
また、表示部２２の表示画面の上下左右に表示される黒帯部分に対して、どの黒帯部分にどの情報を表示させるかを、ユーザにより設定できるようにしてもよい。これは、例えば、後述の図８に示す設定画面を表示させて設定できるようにする。
【００４７】
表示処理部１９は、黒帯部分に対して、ＢＭＬブラウザ機能を利用して番組情報をブラウザ表示する、あるいは、ＯＳＤ機能を利用して番組情報をＯＳＤ表示するように処理を行う。また、表示処理部１９は、ビデオ信号としてＰｏｕｔＰ機能を利用してビデオ出力変換部２１で画面を合わせ込んで表示するようにしてもよい。
【００４８】
以下に示す図２乃至図７においては、ＣＰＵ１８からの表示制御に従って、表示処理部１９及び表示部２２によって表示される表示画面の例を示す。
図２は、本発明による番組情報表示装置１０の上下の黒帯部分に文字や画像等を表示させた表示画面の一例を示す図で、図中、１００は表示画面を示す。表示画面１００の中央部には水平及び垂直サイズを変更せずに放送番組１０２を表示し、放送番組１０２の上側には黒帯部分１０１を表示し、下側には黒帯部分１０３を表示する。ここでは、放送番組１０２の上下に表示されている黒帯部分のうち、上部の黒帯部分１０１に画像情報を、下部の黒帯部分１０３に文字情報を表示している状態を示す。
【００４９】
図３は、本発明による番組情報表示装置１０の左右の黒帯部分に文字や画像等を表示させた表示画面の一例を示す図で、図中、１００は表示画面を示す。表示画面１００の中央部には水平及び垂直サイズを変更せずに放送番組１０２を表示し、放送番組１０２の右側には黒帯部分１０１を表示し、左側には黒帯部分１０３を表示する。ここでは、放送番組１０２の左右に表示されている黒帯部分のうち、右部の黒帯部分１０１に画像情報を、左部の黒帯部分１０３に文字情報を表示している状態を示す。
【００５０】
図４は、本発明による番組情報表示装置１０において、上下部分に黒帯部分が存在する場合に、黒帯部分を画面上部のみにまとめて表示し、上部黒帯部分に文字や画像等を表示させる表示画面の一例を示す図で、図中、１００は表示画面を示す。ここでは、表示画面１００の下部に水平及び垂直サイズを変更せずに放送番組１０２を表示し、表示画面１００の上下に表示されるべき黒帯部分をすべて放送番組１０２の上側（画面上部）に表示することにより、一度に表示できる領域を広くして画像情報および文字情報を同じ黒帯部分１０１に表示している状態を示す。
【００５１】
図５は、本発明による番組情報表示装置１０において、上下部分に黒帯部分が存在する場合に、黒帯部分を画面下部のみにまとめて表示し、下部黒帯部分に文字や画像等を表示させる表示画面の一例を示す図で、図中、１００は表示画面を示す。ここでは、表示画面１００の上部に水平及び垂直サイズを変更せずに放送番組１０２を表示し、表示画面１００の上下に表示されるべき黒帯部分をすべて放送番組１０２の下側（画面下部）に表示することにより、一度に表示できる領域を広くして画像情報および文字情報を同じ黒帯部分１０１に表示している状態を示す。
【００５２】
図６は、本発明による番組情報表示装置１０において、左右部分に黒帯部分が存在する場合に、黒帯部分を画面左部のみにまとめて表示し、左部黒帯部分に文字や画像等を表示させる表示画面の一例を示す図で、図中、１００は表示画面を示す。ここでは、表示画面１００の右部に水平及び垂直サイズを変更せずに放送番組１０２を表示し、表示画面１００の左右に表示されるべき黒帯部分をすべて放送番組１０２の左側（画面左部）に表示することにより、一度に表示できる領域を広くして画像情報および文字情報を同じ黒帯部分１０１に表示している状態を示す。
【００５３】
図７は、本発明による番組情報表示装置１０において、左右部分に黒帯部分が存在する場合に、黒帯部分を画面右部のみにまとめて表示し、右部黒帯部分に文字や画像等を表示させる表示画面の一例を示す図で、図中、１００は表示画面を示す。ここでは、表示画面１００の左部に水平及び垂直サイズを変更せずに放送番組１０２を表示し、表示画面１００の左右に表示されるべき黒帯部分をすべて放送番組１０２の右側（画面右部）に表示することにより、一度に表示できる領域を広くして画像情報および文字情報を同じ黒帯部分１０１に表示している状態を示す。
【００５４】
図８は、本発明による番組情報表示装置１０において、黒帯部分の情報表示内容を設定するための設定画面の一例を示す図で、図中、２００は黒帯部分の情報設定画面を示す。まず、情報設定画面２００には、黒帯部分が存在する位置毎に設定するための設定項目２０１として「左右設定」、「上下設定」、「上下左右設定」が表示される。ここで例えば「左右設定」を選択決定すると、画面の左右のどこに黒帯部分を表示するかどうかを設定するための設定項目２０２が表示され、設定項目２０２には「左右両方に表示」、「左のみに表示」、「右のみに表示」、「表示しない（ワイド）」の項目が表示される。
【００５５】
設定項目２０２において「表示しない（ワイド）」以外の項目を選択すると、詳細の設定項目２０３が表示される。この詳細設定項目２０３には、現在設定されている項目２０４（ここでは、情報連動、文字と画像、あらすじ情報が設定されている）が表示される。なお、図中の◎印はそれぞれの設定項目の中で選択されている項目を示す。
【００５６】
ここで、本発明の番組情報表示装置１０は、現在視聴している番組の全放送時間と現時刻から黒帯部分に表示する情報を選択して表示するように構成してもよい。例えば、番組情報表示装置１０の表示処理部１９は、視聴中の番組が該番組の放送時間の前半部分である場合、番組のそれまでのあらすじ情報を文字情報及び／又は画像情報として黒帯部分に表示させる処理を行う。
【００５７】
また、表示処理部１９は、視聴中の番組が該番組の終了時間に近づいた場合、番組の次の番組に関する情報を文字情報及び／又は画像情報として黒帯部分に表示させる処理を行うようにしてもよい。また、表示処理部１９は、視聴中の放送局から今後放送される予定の番組に関する情報を文字情報及び／又は画像情報として黒帯部分に表示させる処理を行うようにしてもよい。また、表示処理部１９は、視聴中の番組に関する情報を文字情報及び／又は画像情報として黒帯部分に表示させる処理を行うようにしてもよい。
【００５８】
図９は、本発明による番組情報表示装置１０において、現在放送中の番組の情報を黒帯部分に表示する際の表示画面の一例を示す図で、図中、３００は表示画面を示す。ここでは、表示画面３００の左部に水平及び垂直サイズを変更せずに放送番組３０６を表示し、表示画面３００の左右に表示されるべき黒帯部分をすべて放送番組３０６の右側（画面右部）に表示することにより、一度に表示できる領域を広くして、文字で構成された番組情報３０１を黒帯部分に表示している状態を示す。
【００５９】
番組情報３０１は、現在放送中の放送番組３０６に関する番組情報を文字で表示したものである。また、黒帯部分にはリモコンのカラーボタン（青，赤，緑，黄）に割り当てられた操作内容を説明するためのガイド情報３０２〜３０５が表示されている。視聴者は、ガイド情報３０２〜３０５を見ながら、リモコンのカラーボタンを押下することで番組情報表示装置１０を操作することができる。
【００６０】
ガイド情報３０２に対応するリモコンの青ボタンは、黒帯部分に表示されている番組情報３０１の表示内容を変更するための操作ボタンであり、リモコンの青ボタンが押下されると、黒帯部分の番組情報３０１を、例えば、「次の番組情報」，「今後の番組情報」，「現在放送中の番組のあらすじ」，「現在放送中の番組情報」というように、表示内容を順番に切り替えて表示する。
【００６１】
ガイド情報３０３に対応するリモコンの赤ボタンは、図８に示した情報設定画面２００を表示するための操作ボタンである。ガイド情報３０４に対応するリモコンの緑ボタンは、黒帯部分に表示されている番組情報３０１の番組が選択された状態で、該番組を含む時間帯の電子番組表（ＥＰＧ）を表示するための操作ボタンである。この緑ボタンが操作されると、当該番組が選択された状態のＥＰＧが表示される。また、ガイド情報３０５に対応するリモコンの黄ボタンは、表示画面３００に表示されている黒帯部分の表示を終了して映像部分を画面一杯に表示するための操作ボタンである。
【００６２】
図１０は、本発明による番組情報表示装置１０において、現在放送中の番組の現時刻までのあらすじ情報を黒帯部分に表示する際の表示画面の一例を示す図で、図中、４００は表示画面を示す。ここでは、表示画面４００の左部に水平及び垂直サイズを変更せずに放送番組４０８を表示し、表示画面４００の左右に表示されるべき黒帯部分をすべて放送番組４０８の右側（画面右部）に表示することにより、一度に表示できる領域を広くして、文字及び画像で構成されたあらすじ情報４０１〜４０３を黒帯部分に表示している状態を示す。
【００６３】
ここで、あらすじ情報４０１〜４０３それぞれのデータには放送時間のタイムスタンプが情報として付加されており、現在時刻との比較でそれまでのあらすじとして表示する内容を変えて表示する。あらすじ情報４０１は、番組開始直後のあらすじを表示している例である。また、あらすじ情報４０２は、その次の時間帯のあらすじを表示している例である。また、あらすじ情報４０３は、現在時刻に最も近いあらすじを表示している例である。なお、ガイド情報４０４〜４０７は、図９に示したガイド情報３０２〜３０５で説明したものと同様であるため、ここでの説明は省略する。
【００６４】
図１１は、本発明による番組情報表示装置１０において、現在視聴している番組の次の番組に関する情報を黒帯部分に表示する際の表示画面の一例を示す図で、図中、５００は表示画面を示す。ここでは、表示画面５００の左部に水平及び垂直サイズを変更せずに放送番組５０７を表示し、表示画面５００の左右に表示されるべき黒帯部分をすべて放送番組５０７の右側（画面右部）に表示することにより、一度に表示できる領域を広くして、文字で構成された次の番組の番組情報５０１と、画像で構成された次の番組の番組情報５０２とを黒帯部分に表示している状態を示す。
【００６５】
ここで、ガイド情報５０３に対応するリモコンの青ボタンは、黒帯部分に表示されている番組情報５０１，５０２の表示内容を変更するための操作ボタンであり、リモコンの青ボタンが押下されると、黒帯部分の番組情報５０１，５０２を、例えば、「今後の番組情報」，「現在放送中の番組のあらすじ」，「現在放送中の番組情報」，「次の番組情報」，「黒帯表示切」というように、表示内容を順番に切り替えて表示する。ガイド情報５０４に対応するリモコンの赤ボタンは、図８に示した情報設定画面２００を表示するための操作ボタンである。ガイド情報５０５に対応するリモコンの緑ボタンは、黒帯部分に表示されている番組情報５０１，５０２の番組が選択された状態で、その番組が含まれる時間帯の電子番組表（ＥＰＧ）を表示するための操作ボタンである。この緑ボタンが操作されると、当該番組が選択された状態のＥＰＧが表示される。
【００６６】
ガイド情報５０６に対応するリモコンの黄ボタンは、黒帯部分に表示されている番組の予約操作を行うための予約画面を表示するための操作ボタンである。なお、この黄ボタンの操作が実行されると、後述の図１３に示す予約画面が黒帯部分に表示される。
【００６７】
図１２は、本発明による番組情報表示装置１０において、現在視聴している放送局の今後の番組の情報を黒帯部分に表示する際の表示画面の一例を示す図で、図中、６００は表示画面を示す。ここでは、表示画面６００の左部に水平及び垂直サイズを変更せずに放送番組６０８を表示し、表示画面６００の左右に表示されるべき黒帯部分をすべて放送番組６０８の右側（画面右部）に表示することにより、一度に表示できる領域を広くして、現在視聴している放送局の今後の放送予定の番組情報６０２，６０３を黒帯部分に表示している状態を示す。
【００６８】
図中、６０１はスクロール可能な箇所を明示するためのスクロールバーであって、このスクロールバー６０１を表示することで、番組情報がある範囲を示している。６０２は今後の放送予定の番組情報のうちで選択された状態にある番組情報を示す。６０３は今後の放送予定の番組情報のうちで選択されていない状態の番組情報を示す。
【００６９】
ガイド情報６０４に対応するリモコンの青ボタンは、黒帯部分に表示されている番組情報６０２，６０３の表示内容を変更するための操作ボタンであり、リモコンの青ボタンが押下されると、番組情報６０２，６０３を、例えば、「現在放送中の番組のあらすじ」，「現在放送中の番組情報」，「次の番組情報」，「今後の番組情報」，「黒帯表示切」というように、表示内容を順番に切り替えて表示する。ガイド情報６０５に対応するリモコンの赤ボタンは、図８に示した情報設定画面２００を表示するための操作ボタンである。ガイド情報６０６に対応するリモコンの緑ボタンは、黒帯部分に表示されている例えば番組情報６０２が選択された状態で、その番組が含まれる時間帯の電子番組表（ＥＰＧ）を表示するための操作ボタンである。この緑ボタンが操作されると、当該番組が選択された状態のＥＰＧが表示される。
【００７０】
ガイド情報６０７に対応するリモコンの黄ボタンは、黒帯部分に表示されている番組の予約操作を行うための予約画面を表示するための操作ボタンである。なお、この黄ボタンの操作が実行されると、後述の図１３に示す予約画面が黒帯部分に表示される。
【００７１】
図１３は、本発明による番組情報表示装置１０において、黒帯部分から今後の放送番組の予約を行う際に表示される予約画面の一例を示す図で、図中、７００は予約画面を示す。ここでは、予約画面７００の左部に水平及び垂直サイズを変更せずに放送番組７０５を表示し、予約画面７００の左右に表示されるべき黒帯部分をすべて放送番組７０５の右側（画面右部）に表示することにより、一度に表示できる領域を広くして、番組予約情報を黒帯部分に表示している状態を示す。予約画面７００は、前述の図１１あるいは図１２に示した画面から、リモコンの黄ボタンに対応する「番組予約」の操作が実行された際に表示される黒帯部分を使った予約画面の例を示す。
【００７２】
ガイド情報７０１に対応するリモコンの青ボタンは、予約画面７００を表示する前の画面に戻るための操作ボタンである。ガイド情報７０２に対応するリモコンの赤ボタンは、黒帯部分の番組情報から選択されている番組の視聴予約を実行するための操作ボタンである。ガイド情報７０３に対応するリモコンの緑ボタンは、黒帯部分の番組情報から選択されている番組のビデオ連動録画予約を行うための操作ボタンである。ガイド情報７０４に対応するリモコンの黄ボタンは、黒帯部分の番組情報から選択されている番組のＩＥＥＥ１３９４による録画予約を行うための操作ボタンである。
【００７３】
図１４は、本発明による番組情報表示装置１０において、現在の時刻と放送中の番組の放送時間とから黒帯部分に表示する番組情報を選択する処理の一例を説明するためのフロー図である。なお、視聴中の放送番組の放送開始時刻をＴｓ、放送終了時刻をＴｅ、現在の時刻をＴｎ、放送番組の全部の放送時間をＴｔ（Ｔｅ−Ｔｓ）として説明する。
【００７４】
まず、番組情報表示装置１０は、現在の時刻Ｔｎから放送開始時刻Ｔｓを引いた時間（Ｔｎ−Ｔｓ）が全放送時間の半分（Ｔｔ／２）よりも小さいかどうかを判定し（ステップＳ１）、小さいすなわちＴｎ−Ｔｓ＜Ｔｔ／２の場合（ＹＥＳの場合）、放送が始まってからまだ時間が経過していないので、現在時刻Ｔｎまでのあらすじ情報を表示することが望ましいと判断し、当該番組のあらすじに関する情報があるかどうかの判定を行い（ステップＳ３）、あらすじ情報がある場合（ＹＥＳの場合）、現在時刻Ｔｎまでのあらすじ情報を表示する（ステップＳ４）。一方、上記ステップＳ３において、あらすじ情報がない場合（ＮＯの場合）、あるいは、Ｔｎ−Ｔｓ≧Ｔｔ／２の場合（ＮＯの場合）、ステップＳ２へ移行する。
【００７５】
また、ステップＳ１の判定処理において、現在視聴中の放送番組の選局が放送開始時間Ｔｓ以降であるかの判定を含め、放送開始以降に選局された場合に、それまでのあらすじ表示を行うようにしたり、判定基準をＴｔ／２ではなく、ユーザにより任意に指定できるようにしてもよい。
【００７６】
次に、番組情報表示装置１０は、全放送時間Ｔｔから現在の時刻Ｔｎを引いた時間（Ｔｔ−Ｔｎ）が全放送時間Ｔｔの４分の１よりも小さいかどうかを判定し（ステップＳ２）、小さいすなわちＴｔ−Ｔｎ＜Ｔｔ／４の場合（ＹＥＳの場合）、すでに視聴中の番組が終了時間に近いことになり、次の番組の番組情報を表示することが望ましいと判断し、次の番組の番組情報があるかどうかの判定を行い（ステップＳ５）、次の番組の番組情報があった場合（ＹＥＳの場合）、次の番組の番組情報を表示する（ステップＳ６）。一方、ステップＳ５において、次の番組の番組情報がない場合（ＮＯの場合）、ステップＳ７へ移行する。
【００７７】
次に、番組情報表示装置１０は、現在視聴中の番組に関する番組情報があるかどうかを判定し（ステップＳ７）、現在視聴中の番組の番組情報がある場合（ＹＥＳの場合）、現在視聴中の番組の番組情報を表示する（ステップＳ８）。一方、ステップＳ７において、現在視聴中の番組の番組情報がない場合（ＮＯの場合）、今後の番組予告情報があるかどうかを判定し（ステップＳ９）、今後の番組予告情報がある場合（ＹＥＳの場合）、今後の番組予告情報を表示する（ステップＳ１０）、一方、ステップＳ９において、今後の番組予告情報がない場合（ＮＯの場合）、黒帯部分のみを表示する（ステップＳ１１）。
【００７８】
ここで、判定する処理の順番をユーザにより優先順位をつけさせて変更することも可能である。また、全ての情報がない場合の処理として、本例では黒帯部分のみを表示する例として示したが、番組に関する情報がない場合には黒帯部分を表示しないようにしてもよい。
【００７９】
図１５は、本発明による番組情報表示装置１０において、黒帯部分に表示させる番組情報を選択する処理の一例を説明するためのフロー図である。まず、番組情報表示装置１０は、ユーザの設定によって優先的に表示させる番組情報内容が設定されているかどうかを判定し（ステップＳ２１）、優先的に表示させる番組情報内容が設定されている場合であって（ＹＥＳの場合）、あらすじ情報を優先的に表示するように設定されている場合（あらすじの場合）、あらすじ情報があるかどうかの判定を行い（ステップＳ２２）、あらすじ情報がある場合（ＹＥＳの場合）、現在時刻Ｔｎまでのあらすじ情報を表示し（ステップＳ２３）、一方、あらすじ情報がない場合（ＮＯの場合）、前述の図１４で説明した表示情報判定処理を実行し（ステップＳ２４）、判定結果を表示する（ステップＳ２５）。
【００８０】
また、ステップＳ２１において、優先的に表示させる番組情報内容が設定されている場合であって（ＹＥＳの場合）、次の番組の番組情報を優先的に表示するように設定されている場合（次の番組の場合）、次の番組の番組情報があるかどうかの判定を行い（ステップＳ２６）、次の番組の番組情報がある場合（ＹＥＳの場合）、次の番組の番組情報を表示し（ステップＳ２７）、一方、次の番組の番組情報がない場合（ＮＯの場合）、前述の図１４で説明した表示情報判定処理を実行し（ステップＳ２８）、判定結果を表示する（ステップＳ２９）。
【００８１】
また、ステップＳ２１において、優先的に表示させる番組情報内容が設定されている場合であって（ＹＥＳの場合）、現在視聴中の番組の番組情報を優先的に表示するように設定されている場合（現在の番組の場合）、現在視聴中の番組の番組情報があるかどうかの判定を行い（ステップＳ３０）、現在視聴中の番組の番組情報がある場合（ＹＥＳの場合）、現在視聴中の番組の番組情報を表示し（ステップＳＳ３１）、一方、現在視聴中の番組の番組情報がない場合（ＮＯの場合）、前述の図１４で説明した表示情報判定処理を実行し（ステップＳ３２）、判定結果を表示する（ステップＳ３３）。
【００８２】
また、ステップＳ２１において、優先的に表示させる番組情報内容が設定されている場合であって（ＹＥＳの場合）、今後の番組予告情報を優先的に表示するように設定されている場合（今後の番組の場合）、今後の番組予告情報があるかどうかの判定を行い（ステップＳ３４）、番組予告情報がある場合（ＹＥＳの場合）、今後の番組予告情報を表示し（ステップＳ３５）、一方、今後の番組予告情報がない場合（ＮＯの場合）、前述の図１４で説明した表示情報判定処理を実行し（ステップＳ３６）、判定結果を表示する（ステップＳ３７）。
【００８３】
また、番組情報表示装置１０は、ステップＳ２１において、優先的に表示させる番組情報内容が設定されていない場合（ＮＯの場合）、前述の図１４で説明した表示情報判定処理を実行し（ステップＳ３８）、判定結果を表示する（ステップＳ３９）。
【００８４】
以上説明したように、本発明によれば、もともと映像の表示領域ではない黒帯部分に番組に関する情報（あらすじなど）を表示させることができるため、放送番組の表示領域をそのままのサイズで表示させ、現在放送されている番組の視聴を妨げることなく、各種の番組情報を表示することができる。
また、現在視聴している番組の全放送時間と現時刻から黒帯部分に表示する情報を選択して表示することができるため、視聴者にとってより有用な情報を表示することが可能となる。また、これらにより、もともと映像の表示領域ではない黒帯部分を有効に活用することができるようになる。
【図面の簡単な説明】
【００８５】
【図１】本発明の一実施形態に係る番組情報表示装置の構成例を示すブロック図である。
【図２】本発明による番組情報表示装置の上下の黒帯部分に文字や画像等を表示させた表示画面の一例を示す図である。
【図３】本発明による番組情報表示装置の左右の黒帯部分に文字や画像等を表示させた表示画面の一例を示す図である。
【図４】本発明による番組情報表示装置において、上下部分に黒帯部分が存在する場合に、黒帯部分を画面上部のみにまとめて表示し、上部黒帯部分に文字や画像等を表示させる表示画面の一例を示す図である。
【図５】本発明による番組情報表示装置において、上下部分に黒帯部分が存在する場合に、黒帯部分を画面下部のみにまとめて表示し、下部黒帯部分に文字や画像等を表示させる表示画面の一例を示す図である。
【図６】本発明による番組情報表示装置において、左右部分に黒帯部分が存在する場合に、黒帯部分を画面左部のみにまとめて表示し、左部黒帯部分に文字や画像等を表示させる表示画面の一例を示す図である。
【図７】本発明による番組情報表示装置において、左右部分に黒帯部分が存在する場合に、黒帯部分を画面右部のみにまとめて表示し、右部黒帯部分に文字や画像等を表示させる表示画面の一例を示す図である。
【図８】本発明による番組情報表示装置において、黒帯部分の情報表示内容を設定するための設定画面の一例を示す図である。
【図９】本発明による番組情報表示装置において、現在放送中の番組の情報を黒帯部分に表示する際の表示画面の一例を示す図である。
【図１０】本発明による番組情報表示装置において、現在放送中の番組の現時刻までのあらすじ情報を黒帯部分に表示する際の表示画面の一例を示す図である。
【図１１】本発明による番組情報表示装置において、現在視聴している番組の次の番組に関する情報を黒帯部分に表示する際の表示画面の一例を示す図である。
【図１２】本発明による番組情報表示装置において、現在視聴している放送局の今後の番組の情報を黒帯部分に表示する際の表示画面の一例を示す図である。
【図１３】本発明による番組情報表示装置において、黒帯部分から今後の放送番組の予約を行う際に表示される予約画面の一例を示す図である。
【図１４】本発明による番組情報表示装置において、現在の時刻と放送中の番組の放送時間とから黒帯部分に表示する番組情報を選択する処理の一例を説明するためのフロー図である。
【図１５】本発明による番組情報表示装置において、黒帯部分に表示させる番組情報を選択する処理の一例を説明するためのフロー図である。
【符号の説明】
【００８６】
１０…番組情報表示装置（テレビジョン放送受信装置）、１１…受信アンテナ、１２…デジタルチューナ部、１３…デジタル復調部、１４…分離部、１５…ビデオデコード／キャプチャ部、１６…選局部、１７…ＲＡＭ、１８…ＣＰＵ（表示制御部）、１９…表示処理部、２０…オーディオデコード部、２１…ビデオ出力変換部、２２…表示部、２３…オーディオ出力変換部、２４…スピーカ、２５…ビデオマウスマイコン、２６…不揮発性メモリ、２７…通信制御部、２８…リモコン受光部、２９…ビデオマウスコネクタ。
【図１】
2007135158.tif 000003
【図２】
2007135158.tif 000004
【図３】
2007135158.tif 000005
【図４】
2007135158.tif 000006
【図５】
2007135158.tif 000007
【図６】
2007135158.tif 000008
【図７】
2007135158.tif 000009
【図８】
2007135158.tif 000010
【図９】
2007135158.tif 000011
【図１０】
2007135158.tif 000012
【図１１】
2007135158.tif 000013
【図１２】
2007135158.tif 000014
【図１３】
2007135158.tif 000015
【図１４】
2007135158.tif 000016
【図１５】
2007135158.tif 000017